(57)【特許請求の範囲】
【請求項１】
洗濯物が収容されて洗濯・乾燥される洗濯乾燥槽と、
冷媒が蒸発装置、圧縮装置、凝縮装置、絞り装置の順に循環するヒートポンプと、
水分を吸着・脱着可能な除湿剤が担持され、除湿区域と再生区域に仕切られるとともに、前記除湿剤が繰り返し前記除湿区域と前記再生区域を経由することで前記除湿剤による水分の吸着と脱着が繰り返される連続式除湿装置と、を備え、
前記凝縮装置によって加熱されるとともに前記除湿区域を通過して乾燥した空気を前記洗濯乾燥槽に導入して洗濯物を乾燥させる洗濯乾燥機において、
前記除湿区域を通過して乾燥した空気を前記再生区域に導入可能な風路を備え、
前記風路を通じて前記除湿区域を通過して乾燥した空気を前記再生区域に導入し、前記除湿剤が吸着した水分を脱着させて前記除湿剤を再生させるとともに、
前記凝縮装置の上流側から分岐する第１の風路と、
前記風路の一部には、前記洗濯乾燥槽から排出される空気を熱源として前記第１の風路を流れる空気を加熱する熱交換手段と、を備え、
前記熱交換手段によって加熱された空気を前記再生区域に導入して前記除湿剤を再生させる、
ことを特徴とする洗濯乾燥機。
【請求項２】
前記蒸発装置で冷却された冷媒を介して空気を冷却し除湿する吸気除湿装置を備え、
前記吸気除湿装置及び前記除湿区域を通過した空気を前記風路を通じて前記再生区域に導入する、
ことを特徴とする請求項１に記載の洗濯乾燥機。
【請求項３】
前記凝縮装置よりも下流側から分岐する第２の風路を有し、
前記凝縮装置によって加熱された空気を前記第２の風路を通じて前記再生区域に導入して前記除湿剤を再生させる、
ことを特徴とする請求項１又は２に記載の洗濯乾燥機。
【請求項４】
前記凝縮装置よりも下流側から分岐する第２の風路を備え、
前記除湿剤を再生させる場合では、前記凝縮装置によって加熱された空気を前記第２の風路を通じて前記再生区域に導入して前記除湿剤を再生させ、
前記除湿剤を再生させながら前記洗濯乾燥槽内の洗濯物を乾燥させる場合では、前記熱交換手段によって加熱された空気を前記再生区域に導入して前記除湿剤を再生させる、
ことを特徴とする請求項１又は２に記載の洗濯乾燥機。
【請求項５】
前記洗濯乾燥槽に給水する水路を備え、
前記水路の一部が前記凝縮装置を通過するよう構成され、
前記凝縮装置で加熱された水が前記洗濯乾燥槽内に供給される、
ことを特徴とする請求項１乃至４のいずれか一項に記載の洗濯乾燥機。
【請求項６】
洗濯物が収容されて洗濯・乾燥される洗濯乾燥槽と、
冷媒が蒸発装置、圧縮装置、凝縮装置、絞り装置の順に循環するヒートポンプと、
水分を吸着・脱着可能な除湿剤が担持され、除湿区域と再生区域に仕切られるとともに、前記除湿剤が繰り返し前記除湿区域と前記再生区域を経由することで前記除湿剤による水分の吸着と脱着が繰り返される連続式除湿装置と、を備え、
前記凝縮装置によって加熱されるとともに前記除湿区域を通過して乾燥した空気を前記洗濯乾燥槽に導入して洗濯物を乾燥させる洗濯乾燥機において、
前記除湿区域を通過して乾燥した空気を前記再生区域に導入可能な風路を備え、
前記風路を通じて前記除湿区域を通過して乾燥した空気を前記再生区域に導入し、前記除湿剤が吸着した水分を脱着させて前記除湿剤を再生させるとともに、
前記洗濯乾燥槽に給水する水路と、
前記再生区域を通過した空気を熱源として前記水路を流れる水を加熱する熱交換手段と、を備え、
前記熱交換手段で加熱された水が前記洗濯乾燥槽内に供給される、
ことを特徴とする洗濯乾燥機。
【発明の詳細な説明】
【技術分野】
【０００１】
本発明は、ヒートポンプと連続式除湿装置を備える洗濯乾燥機に関する。
【背景技術】
【０００２】
ヒーターや蒸気などに代わり、ヒートポンプを利用した洗濯乾燥機が広まっている。ヒートポンプの利用により、ヒーター利用に比べて乾燥した低い温度の空気を乾燥槽に送り込んで衣類を乾燥させることができるため、衣類の傷みが小さい。また、高出力のヒーターを用いないので、電気消費量が小さい利点がある。
【０００３】
より乾燥した空気を送り込んで衣類の乾燥効率を高めるべく、特許文献１では、ヒートポンプとデシカントロータを組み合わせたハイブリッド乾燥機が開示されている。ハイブリッド乾燥機では、乾燥に用いた空気がデシカントロータの吸着ゾーンを通過し、担持されたデシカント剤（除湿剤）によって空気中の水分を除湿する。そして、乾燥に用いた空気を脱着ゾーンに導入することで、デシカント剤から水分を脱着し再生している。
【先行技術文献】
【特許文献】
【０００４】
【特許文献１】特開２００９−２８５２２５号公報
【発明の概要】
【発明が解決しようとする課題】
【０００５】
特許文献１に開示のハイブリッド式乾燥機では、衣類から水分を奪い取った水蒸気を含む空気をデシカントロータの脱着ゾーンに通過させている。水蒸気を含む空気であるため、デシカント剤の再生効率が低いという課題を有する。
【０００６】
本発明は、上記事項に鑑みてなされたものであり、その目的とするところは、デシカントロータ等の連続式除湿装置に担持されている除湿剤を効率的に再生できる洗濯乾燥機を提供することにある。
【課題を解決するための手段】
【０００７】
本発明の第１の観点に係る洗濯乾燥機は、
洗濯物が収容されて洗濯・乾燥される洗濯乾燥槽と、
冷媒が蒸発装置、圧縮装置、凝縮装置、絞り装置の順に循環するヒートポンプと、
水分を吸着・脱着可能な除湿剤が担持され、除湿区域と再生区域に仕切られるとともに、前記除湿剤が繰り返し前記除湿区域と前記再生区域を経由することで前記除湿剤による水分の吸着と脱着が繰り返される連続式除湿装置と、を備え、
前記凝縮装置によって加熱されるとともに前記除湿区域を通過して乾燥した空気を前記洗濯乾燥槽に導入して洗濯物を乾燥させる洗濯乾燥機において、
前記除湿区域を通過して乾燥した空気を前記再生区域に導入可能な風路を備え、
前記風路を通じて前記除湿区域を通過して乾燥した空気を前記再生区域に導入し、前記除湿剤が吸着した水分を脱着させて前記除湿剤を再生させるとともに、
前記凝縮装置の上流側から分岐する第１の風路と、
前記風路の一部には、前記洗濯乾燥槽から排出される空気を熱源として前記第１の風路を流れる空気を加熱する熱交換手段と、を備え、
前記熱交換手段によって加熱された空気を前記再生区域に導入して前記除湿剤を再生させる、
ことを特徴とする。
【０００８】
また、前記蒸発装置で冷却された冷媒を介して空気を冷却し除湿する吸気除湿装置を備え、
前記吸気除湿装置及び前記除湿区域を通過した空気を前記風路を通じて前記再生区域に導入してもよい。
【０００９】
また、前記凝縮装置よりも下流側から分岐する第２の風路を有し、
前記凝縮装置によって加熱された空気を前記第２の風路を通じて前記再生区域に導入して前記除湿剤を再生させてもよい。
【００１１】
また、前記凝縮装置よりも下流側から分岐する第２の風路を備え、
前記除湿剤を再生させる場合では、前記凝縮装置によって加熱された空気を前記第２の風路を通じて前記再生区域に導入して前記除湿剤を再生させ、
前記除湿剤を再生させながら前記洗濯乾燥槽内の洗濯物を乾燥させる場合では、前記熱交換手段によって加熱された空気を前記再生区域に導入して前記除湿剤を再生させてもよい。
【００１２】
また、前記洗濯乾燥槽に給水する水路を備え、
前記水路の一部が前記凝縮装置を通過するよう構成され、
前記凝縮装置で加熱された水が前記洗濯乾燥槽内に供給されるよう構成されていてもよい。
【００１３】
本発明の第２の観点に係る洗濯乾燥機は、
洗濯物が収容されて洗濯・乾燥される洗濯乾燥槽と、
冷媒が蒸発装置、圧縮装置、凝縮装置、絞り装置の順に循環するヒートポンプと、
水分を吸着・脱着可能な除湿剤が担持され、除湿区域と再生区域に仕切られるとともに、前記除湿剤が繰り返し前記除湿区域と前記再生区域を経由することで前記除湿剤による水分の吸着と脱着が繰り返される連続式除湿装置と、を備え、
前記凝縮装置によって加熱されるとともに前記除湿区域を通過して乾燥した空気を前記洗濯乾燥槽に導入して洗濯物を乾燥させる洗濯乾燥機において、
前記除湿区域を通過して乾燥した空気を前記再生区域に導入可能な風路を備え、
前記風路を通じて前記除湿区域を通過して乾燥した空気を前記再生区域に導入し、前記除湿剤が吸着した水分を脱着させて前記除湿剤を再生させるとともに、
前記洗濯乾燥槽に給水する水路と、
前記再生区域を通過した空気を熱源として前記水路を流れる水を加熱する熱交換手段と、を備え、
前記熱交換手段で加熱された水が前記洗濯乾燥槽内に供給される、
ことを特徴とする。
【発明の効果】
【００１４】
本発明に係る洗濯乾燥機では、連続式除湿装置の除湿区域を通過して除湿された乾燥空気を加熱し、連続式除湿装置の再生区域に導いている。乾燥した温風で連続式除湿装置に担持された除湿剤を再生するので、除湿剤が効率的に再生される。このため、洗濯乾燥槽に供給する空気はより乾燥したものになり、洗濯物の乾燥が効率的に行われる。
【図面の簡単な説明】
【００１５】
【図１】実施の形態１に係る洗濯乾燥機の概略構成図である。
【図２】実施の形態１に係る洗濯乾燥機の概略構成図である。
【図３】実施の形態２に係る洗濯乾燥機の概略構成図である。
【図４】実施の形態３に係る洗濯乾燥機の概略構成図である。
【図５】実施の形態３に係る洗濯乾燥機の概略構成図である。
【図６】実施の形態４に係る洗濯乾燥機の概略構成図である。
【図７】実施の形態４に係る洗濯乾燥機において乾燥再生モードの空気及び水の流れを示す概略構成図である。
【図８】実施の形態４に係る洗濯乾燥機において再生モードの空気及び水の流れを示す概略構成図である。
【図９】実施の形態４に係る洗濯乾燥機において温水モードの空気及び水の流れを示す概略構成図である。
【図１０】洗濯乾燥機の変形例を示す概略構成図である。
【発明を実施するための形態】
【００１６】
以下、図を参照しつつ、本実施の形態に係る洗濯乾燥機について説明する。
【００１７】
（実施の形態１）
実施の形態１に係る洗濯乾燥機１は、図１及び図２の概略構成図に示すように、主として、洗濯乾燥槽１０、吸気除湿装置２０、連続式除湿装置３０、ヒートポンプ４０それらを接続する風路Ａ１〜Ａ６、ヒートポンプ４０と吸気除湿装置２０とを接続する水路Ｌ１から構成される。
【００１８】
洗濯乾燥槽１０は、衣類等の洗濯物が収容されて洗濯及び乾燥される槽である。
【００１９】
吸気除湿装置２０は、上流側が風路Ａ１と接続し、下流側が風路Ａ２と接続している。吸気除湿装置２０は、風路Ａ１を通じて供給される空気中の水分を除湿する機能を有する。吸気除湿装置２０はヒートポンプ４０の蒸発装置４１と水路Ｌ１で接続されて構成された所謂熱交換装置である。蒸発装置４１で冷却された水が水路Ｌ１を循環することで、風路Ａ１を通じて流れてきた空気が冷却される。空気が冷却されることで、空気中の水分が凝結し除湿される。除湿された空気は風路Ａ２を通じて連続式除湿装置３０へと向かう。
【００２０】
連続式除湿装置３０は、水分の吸着及び脱着が可能な除湿剤が担持されている。除湿剤として、水分の吸着による除湿と、水分の脱着による再生が繰り返し可能である限り特に限定されることはなく、例えば、ゼオライト、シリカゲル等の多孔質無機材料や、親水性高分子等が用いられる。連続式除湿装置３０の一例として、デシカントロータが挙げられる。
【００２１】
デシカントロータは回転軸３３を支軸として回転可能である。連続的に回転することで、除湿剤は除湿区域３１と再生区域３２を交互に経由する。除湿剤が除湿区域３１に位置する場合では、風路Ａ１を通じて流れてきた空気中の水分を吸着して除湿する。また、再生区域３２に位置する場合では、後述のように乾燥し加熱された空気によって吸着した水分を脱着する。このように、連続式除湿装置３０は、水分を連続して除湿可能な構成となされている。
【００２２】
連続式除湿装置３０の除湿区域３１と洗濯乾燥槽１０は風路Ａ３を介して接続されており、除湿区域３１を通過して除湿されて乾燥した空気は、ヒートポンプ４０の凝縮装置４１を経由し加熱されて洗濯乾燥槽１０へと送られる。
【００２３】
ヒートポンプ４０は、蒸発装置４１、圧縮装置４２、凝縮装置４３、絞り装置４４から構成されている。冷媒が冷媒循環流路４５を通じて、蒸発装置４１、圧縮装置４２、凝縮装置４３、絞り装置４４の順に循環する。蒸発装置４１では冷媒が蒸発することにより温度が低下する。蒸発装置４１では、温度が低下した冷媒により流路Ｌ１を流れる水を冷却する。また、圧縮装置４２では冷媒が圧縮されて温度が高くなる。凝縮装置４３では、温度が高くなった冷媒によって、風路Ａ３を流れる空気を加熱する。絞り装置４４は、冷媒の圧力差を維持するためのキャピラリチューブ等である。
【００２４】
除湿区域３１を通過して乾燥した空気は風路Ａ３を流れ、凝縮装置４３によって加熱される。これにより、乾燥するとともに温められた空気が洗濯乾燥槽１０へと導入される。洗濯乾燥槽１０に収容された洗濯物は、乾燥した温かい空気によって効率的に乾燥される。
【００２５】
洗濯乾燥槽１０に導入される空気は低湿度であるため、洗濯物の水分を奪いやすい。このため、ヒーターを用いて乾燥させる場合に比べ、低い温度の空気で乾燥することができ、洗濯物の縮み等、傷みが抑制される。
【００２６】
そして、風路Ａ３には、凝縮装置４３の下流側で洗濯乾燥槽１０との間から分岐する風路Ａ５を有している。風路Ａ５の一端は風路Ａ３に接続し、他端は連続式除湿装置３０の再生区域３２に接続している。
【００２７】
風路Ａ３及び風路Ａ５には、それぞれバルブＶ１、Ｖ２が設置されており、バルブＶ１、Ｖ２の開閉状況に応じて、凝縮器４３で加熱された空気の流れ方向が変更可能である。
【００２８】
即ち、バルブＶ１が開かれ、バルブＶ２が閉じられた場合では、図１に空気の流れを矢印で示すように、風路Ａ３を流れる空気は洗濯乾燥槽１０へと導入され、乾燥し加熱された空気は洗濯物の乾燥に用いられる。乾燥に用いられて洗濯物から水分を奪った空気は風路Ａ４を通じて排出される。
【００２９】
一方、バルブＶ１が閉じられ、バルブＶ２が開かれている場合では、図２に空気の流れを矢印で示すように、風路Ａ３を流れる空気は風路Ａ５を通じて再生区域３２へと導入される。再生区域３２へ導入された空気により、連続式除湿装置３０に担持されている除湿剤から水分が脱着され、再生される。なお、蒸発装置４３における加熱温度を調節可能なヒートポンプが用いられる場合、上記のように除湿剤の再生のみを行う際は、洗濯物を乾燥させる際よりもより空気の温度が高くなるようにしてもよい。加熱した空気が洗濯物の乾燥に使わず洗濯物の傷み等を考慮する必要がないため、また、再生区域３２に導入する空気の温度が高ければ、除湿剤からの水分の脱着が効率的に行われ、除湿剤を再生させる時間の短縮にもつながるためである。
【００３０】
上述した無機吸着剤や高分子等の除湿剤から水分を脱着させるためには、除湿剤が高温下に置かれること、及び、乾燥雰囲気下に置かれることが望ましい。本実施の形態に係る洗濯乾燥機１では、除湿区域３１を通過して除湿され、更に、凝縮装置４３を通過した乾燥した温かい空気が再生区域３２に導入される。このため、再生区域３２に位置する除湿剤は、高温且つ乾燥雰囲気下に置かれるため、効率的に水分が脱着し、再生する。
【００３１】
このように、除湿剤が効率的に再生するため、吸気された空気が十分に乾燥して洗濯乾燥槽１０に導入されるので、洗濯物の乾燥が効率的に行われる。
【００３２】
なお、バルブＶ１、Ｖ２ともに開いている状態では、洗濯乾燥槽１０及び再生区域３２の双方に乾燥し加熱された空気が流れていくので、洗濯物の乾燥を行いつつ、連続式除湿装置３０に担持されている除湿剤の再生をすることも可能である。
【００３３】
（実施の形態２）
続いて、実施の形態２に係る洗濯乾燥機２について説明する。実施の形態２に係る洗濯乾燥機２は、図３に示すように、主として凝縮装置４３の上流から分岐する風路Ａ７及び再生用空気加熱装置５０を備える点で、実施の形態１に係る洗濯乾燥機１と異なる。
【００３４】
風路Ａ７は、風路Ａ３の凝縮装置４３の上流側から分岐し、再生区域３２に通じるよう配置されている。
【００３５】
そして、洗濯乾燥槽１０から空気が排出される風路Ａ４の一部が、再生用空気加熱装置５０を構成している。再生用空気加熱装置５０は、洗濯乾燥槽１０から排出される空気を熱源として、風路Ａ７を流れる空気を加熱する所謂熱交換装置である。
【００３６】
洗濯乾燥槽１０から排出される空気は暖かいので、この空気の熱で、風路Ａを流れる乾燥した空気が加熱される。除湿区域３１を通過し風路Ａ７を通じて流れてきた乾燥した空気が再生用空気加熱装置５０により加熱され、上述した実施の形態１同様に、再生区域３２に導入される。導入される空気は加熱されて除湿されているので、連続式除湿装置３０に担持されている除湿剤から水分が効果的に脱着し、再生する。
【００３７】
このように、本実施の形態に係る洗濯乾燥機２では、洗濯乾燥槽１０から排出される空気を有効利用しており、洗濯物を乾燥している際でも除湿剤の再生を行うことが可能である。他の構成等については実施の形態１と同様であるため、説明を省略する。
【００３８】
（実施の形態３）
実施の形態３に係る洗濯乾燥機３は、上述した実施の形態１に係る洗濯乾燥機１と実施の形態２に係る洗濯乾燥機２を組み合わせた構成である。
【００３９】
風路Ａ３、Ａ５、Ａ７には、それぞれバルブＶ１〜Ｖ３が設置されており、バルブＶ１〜Ｖ３の開閉状態に応じて空気の流れを変更可能である。
【００４０】
洗濯物の乾燥を行いつつ、除湿剤を再生させる場合では、バルブＶ１、Ｖ３が開かれ、また、バルブＶ２が閉じられている。図４に示すように、上述した実施の形態２同様、除湿区域３１を通過し風路Ａ７を通じて流れてきた乾燥した空気が再生用空気加熱装置５０により加熱され、再生区域３２に導入される。
【００４１】
除湿剤の再生のみを行う場合では、バルブＶ１、Ｖ３が閉じられ、バルブＶ２が開かれているとよい。図５に示すように、上述した実施の形態１と同様、凝縮装置４３を通過して加熱された乾燥した空気が再生区域３２に導入される。
【００４２】
他の構成については実施の形態１、２と同様であるため、説明を省略する。
【００４３】
（実施の形態４）
続いて、実施の形態４に係る洗濯乾燥機４について説明する。実施の形態４に係る洗濯乾燥機４は、洗濯時に用いる水が流通する水路を備えており、この水路を流れる水を加熱可能な構成としている。
【００４４】
洗濯乾燥機４は、上述した洗濯乾燥機１〜３の構成に加え、水路Ｌ２〜Ｌ５、給水加熱装置６０、低温水槽７０、高温水槽８０を備えている。
【００４５】
水路Ｌ２は一端が水道等に接続し、他端が低温水槽７０に接続している。水路Ｌ２の一部は、再生区域３２から排出される空気を熱源とする給水加熱装置６０により加熱可能な構成であり、これにより、水路Ｌ２を流れる水が加熱される。加熱された水は低温水槽７０に流入する。
【００４６】
低温水槽７０は、水路Ｌ２から給水された水を一時的に貯留する槽である。低温水槽７０には水位検出装置７１が設けられている。
【００４７】
水路Ｌ３の両端は低温水槽７０と高温水槽８０に接続されており、水路Ｌ３の一部が凝縮装置４３内を通過するよう構成されている。水路Ｌ３にはポンプＰ１が設置されており、ポンプＰ１の駆動により、低温水槽７０に貯留された水が水路Ｌ３を通じて高温水槽８０へと送られる。上述したように、凝縮装置４３では冷媒循環流路４５を循環する冷媒が凝縮されて温度が上昇するため、水路Ｌ３を流れる水は凝縮装置４３を通過する際に加熱される。
【００４８】
高温水槽８０は、凝縮装置Ｌ３を通過して加熱された水が一時的に貯留される槽である。高温水槽８０には水位検出装置８１及び水温検出装置８２が設置されている。
【００４９】
高温水槽８０に貯留された水は、ポンプＰ２の駆動により、水路Ｌ４、Ｌ５を通じて、それぞれ洗濯乾燥槽１０、水路Ｌ３へと供給可能な構成とされている。水路Ｌ５は高温水槽８０に貯留された水を再度水路Ｌ３に循環させるためのものであり、循環させることで、凝縮装置４３による加熱により、更に水の温度を高めることができる。水路Ｌ４、Ｌ５にはバルブＶ５、Ｖ６が設置されており、バルブＶ５が閉じられ、バルブＶ６が開かれている場合、高温水槽８０に貯留された水が水路Ｌ５を通じて水路Ｌ３へと流れる。一方、バルブＶ５が開かれ、バルブＶ６が閉じられている場合、高温水槽８０に貯留された水は水路Ｌ４を通じて洗濯乾燥槽１０へと供給される。
【００５０】
このように、洗濯乾燥機４では、連続式除湿装置３０に担持されている除湿剤を再生に用いた空気の熱を利用し、洗濯時に用いる水を加熱可能な構成である。更に、凝縮装置４３によって、水を更に加熱可能な構成である。このように加熱された水を洗濯乾燥槽１０に供給して洗濯を行うことができるので、洗濯に用いる洗剤が水に溶解しやすいとともに、活性が高いので洗濯が効率的に行え、ひいては洗濯時間の短縮にもつながる。他の構成については、実施の形態１、２、３と同様であるため、説明を省略する。
【００５１】
また、洗濯乾燥機４は、複数の設置されているバルブＶ１〜Ｖ４の開閉状態、また、ポンプＰ１、Ｐ２の駆動状態に応じて、洗濯物を乾燥しつつ除湿剤の再生も行う場合（以下、乾燥再生モード）、除湿剤の再生を行う場合（以下、再生モード）、高温水槽８０に貯留される水を加熱する場合（以下、温水モード）など、種々の態様を取り得る。
【００５２】
まず、乾燥再生モードにおける空気及び水の流れを図７に示す。空気の流れについては、バルブＶ１、Ｖ３が開かれ、バルブＶ２が閉じられており、実施の形態２の洗濯物を乾燥させながら除湿剤を再生する場合と同様である。すなわち、吸気された空気は、風路Ａ１、吸気除湿装置２０、除湿区域３１を通じ、風路Ａ３を流れ、洗濯乾燥槽１０に供給され、排出される。また、空気の一部は風路Ａ３から分岐する風路Ａ７を流れる。そして、風路Ａ７を流れる空気は、洗濯乾燥槽１０から排出される空気を熱源とする再生用空気加熱装置５０によって加熱され、再生区域３２を通過する。
【００５３】
また、低温水槽７０の水位検出装置７１の検出に基づき、低温水槽７０内に貯留されている水が所定量未満である場合、バルブＶ４が開かれて水道等から水が水路Ｌ２を通じて給水される。給水された水は給水加熱装置６０を通過する際、再生区域３２を通過して排出された空気によって加熱され、低温水槽７０に供給される。
【００５４】
また、低温水槽７０に貯留された水はポンプＰ１の駆動によって、水路Ｌ３を流れる。そして、水路Ｌ３を流れる水は、凝縮装置４３によって更に加熱されて高温水槽８０へと供給される。
【００５５】
続いて、再生モードにおける空気及び水の流れを図８に示す。空気の流れについては、バルブＶ１、Ｖ３が閉じられ、バルブＶ２が開かれており、実施の形態２の除湿剤を再生する場合と同様である。すなわち、吸気された空気は、風路Ａ１、吸気除湿装置２０、除湿区域３１を通じ、風路Ａ３、風路Ａ５を流れ、再生区域３２、給水加熱装置６０の順に通過する。なお、水の流れについては、上記乾燥再生モードと同様である。
【００５６】
続いて、温水モードにおける空気及び水の流れを図９に示す。温水モードでは、主に高温水槽８０に貯留された水を再度循環させ、凝縮装置４３によって更に加熱して温度を高めるモードである。バルブＶ５が閉じられ、バルブＶ６が開かれた状態において、ポンプＰ２の駆動により、高温水槽８０内の水が水路Ｌ５を通じて水路Ｌ３を再度流れ、凝縮装置４３を通過する。凝縮装置４３によって更に水が加熱される。
【００５７】
上述した各実施の形態において詳述したが、洗濯乾燥機１〜４は、様々な変形例を取り得る。
【００５８】
例えば、上記では、蒸発装置４１により水路Ｌ１を流れる水を冷却し、吸気除湿装置２０を用いて吸気した空気を除湿しているが、蒸発装置４１を風路Ａ１と風路Ａ２の間に配置し、蒸発装置４１で流れる空気を直接除湿する形態であってもよい。
【００５９】
また、連続式除湿装置３０の下流側に凝縮装置４３が配置され、連続式除湿装置３０を通過して除湿された空気を加熱しているが、凝縮装置４３が連続式除湿装置３０の上流側に配置され、凝縮装置４３にて加熱された空気が連続式除湿装置３０を通過して除湿される形態であってもよい。
【００６０】
また、一つのヒートポンプ４０が設置され、一つの凝縮装置４３により風路Ａ３を流れる空気及び水路Ｌ３を流れる水を加熱する例について説明したが、二つのヒートポンプを設置し、風路Ａ３を流れる空気と水路Ｌ３を流れる水とを別々の凝縮装置で加熱する形態であってもよい。
【００６１】
また、外部から空気を吸気除湿装置２０に吸気して、再生区域３２を通過した空気、及び、洗濯乾燥槽１０から排出された空気を外部に排出した例について説明したが、図１０に示すように、再生区域３２及び洗濯乾燥槽１０から排出された空気をそのまま吸気除湿装置２０に吸気させるよう風路Ａ９を形成し、空気を循環させてもよい。
【００６２】
また、空気が円滑に流れるよう、各風路には適宜送風ファン等が設けられていてもよい。
【００６３】
また、蒸発装置４１で冷却されて水路Ｌ１を流れる水を他の装置、例えば空調装置等に接続して利用してもよい。例えば、図１０に示すように、水路Ｌ１に三方弁等のバルブＶ７、Ｖ８を設置しておき、バルブＶ７、Ｖ８から水路を介して空調装置９０に接続すればよい。上記実施の形態４における空気の流れのない温水モードにおいても、水路Ｌ１を流れる水を冷房等に有効活用することができる。
【符号の説明】
【００６４】
１〜４  洗濯乾燥機
１０  洗濯乾燥槽
２０  吸気除湿装置
３０  連続式除湿装置
３１  除湿区域
３２  再生区域
３３  回転軸
４０  ヒートポンプ
４１  蒸発装置
４２  圧縮装置
４３  凝縮装置
４４  絞り装置
４５  冷媒循環流路
５０  再生用空気加熱装置
６０  給水加熱装置
７０  低温水槽
７１  水位検出装置
８０  高温水槽
８１  水位検出装置
８２  水温検出装置
９０  空調装置
Ｖ１〜Ｖ８  バルブ
Ｐ１、Ｐ２  ポンプ
Ａ１〜Ａ９  風路
Ｌ１〜Ｌ５  水路
【図１】
0005723132.tif 000002
【図２】
0005723132.tif 000003
【図３】
0005723132.tif 000004
【図４】
0005723132.tif 000005
【図５】
0005723132.tif 000006
【図６】
0005723132.tif 000007
【図７】
0005723132.tif 000008
【図８】
0005723132.tif 000009
【図９】
0005723132.tif 000010
【図１０】
0005723132.tif 000011